(57)【要約】【課題】少額な費用で、対象の製品やサービス等に興味のある特定の人にのみ配布することができ、効果的な宣伝効果を発揮することのできる広告塔を提供する。【解決手段】公共の場所等に設置されているゴミ箱１を利用した広告塔であって、ゴミ箱１の任意の壁面２に、断面コ字状の枠片５ａで形成した正面略Ｕ字状の枠体５を取り付けると共に、枠体５の前面に可透視部材６を配置して、壁面２と枠体５と可透視部材６とで壁部広告収納部３を形成し、広告収納部にチラシＬを収め、あるいは宣伝ポスターＰを貼る。これにより少額の費用で大きな宣伝効果をあげることが出来る。【選択図】      図１
0003109121.tif 000002
【実用新案登録請求の範囲】
【請求項１】
公共の場所等に設置されているゴミ箱（１）を利用した広告塔であって、
前記ゴミ箱の任意の壁面（２）に，断面コ字状の枠片（５ａ）で形成した正面略Ｕ字状の枠体（５）を取り付けると共に，前記枠体の前面に可透視部材（６）を配置して，前記壁面と枠体と可透視部材とで壁部広告収納部（３）を形成し、
前記広告収納部にチラシ（Ｌ）を収め，あるいは宣伝ポスター（Ｐ）を貼ることを特徴とするゴミ箱広告塔。
【請求項２】
公共の場所等に設置されているゴミ箱（１）を利用した広告塔であって、
前記ゴミ箱の任意の壁面（２）に，断面コ字状の枠片（５ａ）で形成した正面略Ｕ字状の枠体（５）を取り付けると共に，前記枠体の前面に可透視部材（６）を配置して，前記壁面と枠体と可透視部材とで壁部広告収納部（３）を形成し、
前記壁部広告収納部にチラシ（Ｌ）を収め，あるいは宣伝ポスター（Ｐ）を貼り、
さらに，前記ゴミ箱の上端部に前記枠体を上載して固定すると共に，該枠体の前面と後面に可透視部材を配置して，前記枠体と二つの可透視部材とで上部広告収納部（４）を形成し、
前記上部広告収納部にチラシを収め，あるいは宣伝ポスターを貼ってなることを特徴とするゴミ箱広告塔。
【請求項３】
壁部広告収納部（３）および上部広告収納部（４）を形成する枠体（５）を，上下および左右にスライド自在とし，前記壁部広告収納部および上部広告収納部を上下左右に拡縮自在としてなることを特徴とする請求項１または２に記載のゴミ箱広告塔。
【請求項４】
上部広告収納部（４）の左右両端部に，ゴミ箱（１）の側面に固定する略ハ字状の脚部（７）を設けてなることを特徴とする請求項２または３に記載のゴミ箱広告塔。
【請求項５】
少なくとも、壁部広告収納部（３）や上部広告収納部（４）を形成する枠体（５）に、斜め下前方に傾斜し且つ角度調節可能な傾斜部（８）を設けてなることを特徴とする請求項１、２、３または４に記載のゴミ箱広告塔。
【請求項６】
公共の場所等に設置されているゴミ箱（１）を利用した広告塔であって、
複数のゴミ箱を左右方向に隣接して設け，その複数の壁面（２）からなる大壁面（１１）に，断面コ字状の大枠片（１２ａ）で形成した正面略Ｕ字状の大枠体（１２）を取り付けると共に，前記大枠体の前面に大可透視部材（１３）を配置して，前記大壁面と大枠体と大可透視部材とで大型広告収納部（１０）を形成し、
前記大可透視部材の左右一方側をヒンジ（１４）で固定して片開き構造とし、
前記大型広告収納部にチラシ（Ｆ）を収め，あるいは宣伝ポスター（Ｐ）を貼ってなることを特徴とするゴミ箱広告塔。
【考案の詳細な説明】
【技術分野】
【０００１】
本考案は、主として、公園や街頭などの公共の場所に設置されているゴミ箱を利用した広告塔に関するものである。
【背景技術】
【０００２】
従来、各種製品やサービス等を宣伝するために、新聞に折り込み広告を差し込んだり、街頭でチラシを配るなどの手段を講じている。
【考案の開示】
【考案が解決しようとする課題】
【０００３】
しかし、こうした折り込み広告やチラシは、配布部数の割には宣伝効果が薄い。また、こうした製品やサービスに全く興味のない人を含む不特定多数の人々に配布するので無駄に多額の広告費を費やす結果となっている。
【０００４】
本考案はこうした問題に鑑み創案されたもので、少額な費用で、対象の製品やサービス等に興味のある特定の人にのみ配布することができ、効果的な宣伝効果を発揮することのできる広告塔を提供することを課題とする。
【課題を解決するための手段】
【０００５】
図１乃至図７を参照して説明する。請求項１に記載のゴミ箱広告塔は、公共の場所等に設置されているゴミ箱１を利用した広告塔であって、前記ゴミ箱１の任意の壁面２に、断面コ字状の枠片５ａで形成した正面略Ｕ字状の枠体５を取り付けると共に、前記枠体５の前面に可透視部材６を配置して、前記壁面２と枠体５と可透視部材６とで壁部広告収納部３を形成し、前記広告収納部にチラシＬを収め、あるいは宣伝ポスターＰを貼ってなることを特徴とするものである。
【０００６】
請求項２に記載のゴミ箱広告塔は、公共の場所等に設置されているゴミ箱１を利用した広告塔であって、前記ゴミ箱１の任意の壁面２に、断面コ字状の枠片５ａで形成した正面略Ｕ字状の枠体５を取り付けると共に、前記枠体５の前面に可透視部材６を配置して、前記壁面２と枠体５と可透視部材６とで壁部広告収納部３を形成し、前記壁部広告収納部３にチラシＬを収め、あるいは宣伝ポスターＰを貼り、さらに、前記ゴミ箱１の上端部に前記枠体５を上載して固定すると共に、該枠体５の前面と後面に可透視部材６を配置して、前記枠体５と二つの可透視部材６とで上部広告収納部４を形成し、前記上部広告収納部４にチラシＬを収め、あるいは宣伝ポスターＰを貼ってなることを特徴とするものである。
【０００７】
請求項３に記載のゴミ箱広告塔は、請求項１または２に記載の考案において、壁部広告収納部３および上部広告収納部４を形成する枠体５を、上下および左右にスライド自在とし、前記壁部広告収納部３および上部広告収納部４を上下左右に拡縮自在としてなることを特徴とするものである。
【０００８】
請求項４に記載のゴミ箱広告塔は、請求項２または３に記載の考案において、上部広告収納部４の左右両端部に、ゴミ箱１の側面に固定する略ハ字状の脚部７を設けてなることを特徴とするものである。
【０００９】
請求項５に記載のゴミ箱広告塔は、請求項１、２、３または４に記載の考案において、少なくとも、壁部広告収納部３や上部広告収納部４を形成する枠体５に、斜め下前方に傾斜し且つ角度調節可能な傾斜部８を設けてなることを特徴とするものである。
【００１０】
請求項６に記載のゴミ箱広告塔は、公共の場所等に設置されているゴミ箱１を利用した広告塔であって、複数のゴミ箱１を左右方向に隣接して設け、その複数の壁面２からなる大壁面１１に、断面コ字状の大枠片１２ａで形成した正面略Ｕ字状の大枠体１２を取り付けると共に、前記大枠体１２の前面に大可透視部材１３を配置して、前記大壁面１１と大枠体１２と大可透視部材１３とで大型広告収納部１０を形成し、前記大可透視部材１３の左右一方側をヒンジ１４で固定して片開き構造とし、前記大型広告収納部１０にチラシＦを収め、あるいは宣伝ポスターＰを貼ってなることを特徴とするものである。
【考案の効果】
【００１１】
請求項１に記載の考案は、公共の場所等に設置されているゴミ箱１を利用して、その任意の壁面２に壁部広告収納部３を形成し、そこにチラシＬを収めたり、宣伝ポスターＰを貼るので、宣伝の対象である製品やサービス等を、それに興味のある特定の人のみが自由に手にすることができる。従って、チラシＬ等を無駄にすることがないので、少額の費用で、大きな宣伝効果をあげることができる。なお、任意の壁面２とは、前面、側面、裏面のいずれでも良いし、また、その全てでも良い。
【００１２】
請求項２に記載の考案は、請求項１に記載の考案と同様に、少額の費用で大きな宣伝効果をあげることができ、また、壁部広告収納部３に加えて上部広告収納部４を設けているので、さらに大きな宣伝効果をあげることができる。
【００１３】
請求項３に記載の考案は、壁部広告収納部３および上部広告収納部４を上下左右に拡縮自在としたので、チラシＬや宣伝ポスターＰの大きさに合わせて自在にその大きさを調整することができる。従って、あらゆる大きさのチラシＬ等を綺麗な整頓状態で収納することができる。
【００１４】
請求項４に記載の考案は、上部広告収納部４の左右両端部に、略ハ字状の脚部７を設けたので、当該上部広告収納部４を安定した姿勢でゴミ箱１に固定することができる。
【００１５】
請求項５に記載の考案は、少なくとも、壁部広告収納部３や上部広告収納部４を形成する枠体５に、斜め下前方に傾斜する角度調節可能な傾斜部８を設けたので、そこに収納するチラシＬ等を見易くして人目に付き易くすることができる。これにより、宣伝効果をさらに高めることができる。
【００１６】
請求項６に記載の考案は、大型広告収納部１０を形成したので、きわめて大型の広告ポスターＰを貼ることができ、大きな宣伝効果を上げることができる。また、その大可透視部材１３を片開き構造としたので、大型広告ポスターＰの貼り替えを容易に行うことができる。
【考案を実施するための最良の形態】
【００１７】
本考案に係るゴミ箱広告塔の第一実施形態を、図１乃至図３に示す。これは、駅や街頭などの公共の場所に設置されているゴミ箱１を利用した広告塔である。このゴミ箱１の前面、側面および後面の各壁面２には、断面コ字状の枠片５ａで形成した正面略Ｕ字状の枠体５をそれぞれ取り付けると共に、この各枠体５の前面には可透視部材６を配置して、各壁面２と各枠体５と各可透視部材６とで複数の壁部広告収納部３を形成している。この複数の壁部広告収納部３のうち、その一部にはチラシＬを収めている。また、残りの壁部広告収納部３には、その壁面２に宣伝ポスターＰを貼っている。
【００１８】
なお、枠体５を構成する垂直方向の二本の枠片５ａの下端部と、水平方向の枠片５ａの左右両端部とを突き合わせた状態で、その前面に可透視部材６を接着剤等で固着することによって、三本の枠片５ａと可透視部材６とを一体化することができる。
【００１９】
このゴミ箱広告塔は、その前面、側面および後面の全ての壁面２に壁部広告収納部３を形成し、そこにチラシＬを収めたり、宣伝ポスターＰを貼るので、宣伝の対象である製品やサービスを、それに興味のある特定の人のみが自由に手にすることができる。従って、チラシＬを無駄にすることがなく、少額の費用で、大きな宣伝効果をあげることができる。
【００２０】
なお、枠体５の壁面２に対する取り付けは、接着剤や両面接着テープが効果的であるが、枠体５およびゴミ箱１の壁面２が鋼板製である場合には、永久磁石によって取り付けることができる。その場合、取り付けおよび取り外しが容易にできるので、実用性に富む。
【００２１】
さらに、本実施形態に係るゴミ箱広告塔は、ゴミ箱１の上端部に枠体５を上載して固定すると共に、その枠体５の前面と後面に可透視部材６を配置して、当該枠体５と二つの可透視部材６とで上部広告収納部４を形成している。この上部広告収納部４にもチラシＬを収め、あるいは宣伝ポスターＰを貼っている。
【００２２】
本考案に係るゴミ箱広告塔の第二実施形態を、図４及び図５に示す。このゴミ箱広告塔の特徴は、上部広告収納部４の左右両端部に、ゴミ箱１の側面に固定する略ハ字状の脚部７を設けていることである。これによって、上部広告収納部４を、ゴミ箱１に強固に固定することができる。この脚部７のゴミ箱１に対する取り付けは、接着剤や両面接着テープで行うことができる。また、ゴミ箱１と脚部７を鋼板製とした場合には、永久磁石で行うことができるので、取り付けおよび取り外しが容易となり、実用性に優れる。
【００２３】
また、図６に示すゴミ箱広告塔は、壁部広告収納部３や上部広告収納部４を形成する枠体５に、斜め下前方に傾斜し且つ角度調節可能な傾斜部８を設けている。こうすることによって、当該壁部広告収納部３に収納したチラシＬや宣伝ポスターＰを、その周辺を歩く人が視覚し易くすることができ、宣伝効果をさらに高めることができる。
【００２４】
なお、壁部広告収納部３および上部広告収納部４のいずれも、ゴミ箱メーカーによって製造当初から取り付けても良いし、ゴミ箱１の使用を開始した後、他のメーカーによって取り付けるようにしても良い。
【００２５】
また、壁部広告収納部３および上部広告収納部４を形成する枠体５を、図４の矢印Ｘ，Ｙで示すように、上下および左右にスライド自在とし、壁部広告収納部３および上部広告収納部４を上下左右に拡縮自在とすることができる。スライドさせる構成は限定されず、例えば、垂直方向および水平方向の枠片５ａを、それぞれ二つに分割して、それらを重合状態でスライド自在に組み付けることによって行うことができる。これによって、あらゆる大きさのチラシＬを収納することができ、また、あらゆる大さの宣伝ポスターＰを貼ることができる。
【００２６】
本考案に係るゴミ箱広告塔の第三実施形態を、図７に示す。これも、駅や街頭などの公共の場所等に設置されているゴミ箱１を利用した広告塔である。そして、その特徴は、複数のゴミ箱１を左右方向に隣接して設け、その複数の壁面２からなる大壁面１１に、断面コ字状の大枠片１２ａで形成した正面略Ｕ字状の大枠体１２を取り付けたことである。また、大枠体１２の前面に大可透視部材１３を配置して、大壁面１１と大枠体１２と大可透視部材１３とで大型広告収納部１０を形成している。また、大可透視部材１３の左右一方側をヒンジ１４で軸着して片開き構造とし、他方側に把手を設けている。そして、大型広告収納部１０に宣伝ポスターＰを貼っている。
【００２７】
このゴミ箱広告塔は、大型広告収納部１０を形成しているので、きわめて大きな宣伝ポスターＰを貼ることができ、また、大きなチラシＬも収納することができる。また、大可透視部材１３を片開き構造としているので、宣伝ポスターＰ等の張り替えを容易に行うことができる。なお、通常の大きさのチラシＦを収める場合には、大型広告収納部１０を分割枠片（図示せず）によって分割し、複数の収納部を形成することもできる。
【図面の簡単な説明】
【００２８】
【図１】本考案に係るゴミ箱広告塔の第一実施形態を示す斜視図である。
【図２】図１に示すゴミ箱広告塔の壁部広告収納部を示す部分断面斜視図である。
【図３】図１に示すゴミ箱広告塔の上部広告収納部を示す斜視図である。
【図４】本考案に係るゴミ箱広告塔の第二実施形態を示す斜視図である。
【図５】図４に示すゴミ箱広告塔の上部広告収納部を示すもので、（ａ）は部分正面図、（ｂ）は側面図である。
【図６】図５に示すゴミ箱広告塔の壁部広告収納部及び上部広告収納部を示す側面図である。
【図７】本考案に係るゴミ箱広告塔の第三実施形態を示す斜視図である。
【符号の説明】
【００２９】
１        ゴミ箱
２        壁面
３        壁部広告収納部
４        上部広告収納部
５        枠体
５ａ      枠片
６        可透視部材
７        脚部
８        傾斜部
１０      大型広告収納部
１１      大壁面
１２      大枠体
１２ａ    大枠片
１３      大可透視部材
１４      ヒンジ
１５      把手
Ｌ        チラシ
Ｐ        宣伝ポスター
【図１】
0003109121.tif 000003
【図２】
0003109121.tif 000004
【図３】
0003109121.tif 000005
【図４】
0003109121.tif 000006
【図５】
0003109121.tif 000007
【図６】
0003109121.tif 000008
【図７】
0003109121.tif 000009